(57)【要約】【課題】周囲の漁労データおよびその内容を感覚的に容易に把握する。【解決手段】表示装置１は、データベース１５１、１５２、漁労データ取得部１３１、表示マーク取得部１３２、および、画像データ生成部１３３を備える。データベース１５１、１５２は、位置データと複数種類の漁労データと表示用のマークとを紐付けして記憶している。漁労データ取得部１３１は、選択された種類の漁労データをデータベース１５１から取得する。表示マーク取得部１３２は、選択された種類の漁労データに対応したマークを、データベース１５２から取得する。画像データ生成部１３３は、選択された種類の漁労データに応じて表示態様が調整されたマークを地図データに重ねることで画像データを生成し、表示させる。【選択図】図１
2019086533.tif 000002
【特許請求の範囲】
【請求項１】
位置データと複数種類の漁労データと表示用のマークとを紐付けして記憶するデータベースと、
選択された種類の前記漁労データを、前記データベースから取得する漁労データ取得部と、
前記選択された種類の漁労データに対応した前記マークを、前記データベースから取得する表示マーク取得部と、
前記選択された種類の漁労データに応じて表示態様が調整された前記マークを地図データに重ねることで画像データを生成し、表示させる画像データ生成部と、
を備えた、表示装置。
【請求項２】
請求項１に記載の表示装置であって、
前記画像データ生成部は、
複数種類の漁労データが選択されると、選択された複数種類の漁労データにそれぞれ対応したマークを用いて、前記画像データを生成する、
表示装置。
【請求項３】
請求項１または請求項２に記載の表示装置であって、
前記表示態様は、前記マークの形、大きさ、または色調である、
表示装置。
【請求項４】
請求項１乃至請求項３のいずれかに記載の表示装置であって、
自船の位置を取得する自船位置取得部を備え、
前記画像データ生成部は、前記自船の位置を含む領域で前記画像データを生成する、
表示装置。
【請求項５】
請求項１乃至請求項４のいずれかに記載の表示装置であって、
前記データベースには、時刻または季節に応じた前記漁労データが記憶されており、
前記漁労データ取得部は、前記時刻または前記季節に応じて、前記データベースから前記漁労データを取得する、
表示装置。
【請求項６】
請求項１乃至請求項５のいずれかに記載の表示装置であって、
前記漁労データ取得部は、
表示すべき位置に対応する漁労データが前記データベースに記憶されていないと、前記漁労データが記憶されていない位置に隣接する位置の漁労データから、前記漁労データが記憶されていない位置の漁労データを補完する、
表示装置。
【請求項７】
選択された種類の漁労データと、前記選択された種類の漁労データに対応したマークとを、位置データと複数種類の漁労データと表示用のマークとが紐付けして記憶されたデータベースから取得し、
前記選択された種類の漁労データに応じて表示態様が調整された前記マークを地図データに重ねることで画像データを生成し、表示する、
表示方法。
【請求項８】
選択された種類の漁労データと、前記選択された種類の漁労データに対応したマークとを、位置データと複数種類の漁労データと表示用のマークとが紐付けして記憶されたデータベースから取得し、
前記選択された種類の漁労データに応じて表示態様が調整された前記マークを地図データに重ねることで画像データを生成し、表示する、
処理を、情報処理装置に実行させる表示プログラム。
【発明の詳細な説明】
【技術分野】
【０００１】
本発明は、漁労データを表示する表示装置、表示方法、および、表示プログラムに関する。
【背景技術】
【０００２】
船舶には様々な装置が搭載されている。例えば、航跡、目的位置及び目標物などを記録し、それらを表示器に表示する航跡記録装置がある（例えば、特許文献１参照）。特許文献１に記載の航跡記録装置は、目的位置又は目標物などをマーク図形として表示器に表示している。
【先行技術文献】
【特許文献】
【０００３】
【特許文献１】特開平８−３３４３７６号公報
【発明の概要】
【発明が解決しようとする課題】
【０００４】
特許文献１の航跡記録装置は、目的位置や目標物等の航行時のイベント情報を、マーク図形で表示しているものの、その図形の説明は文字で表示されている。また、各イベント情報に対するマーク図形の形状は、ユーザがその都度設定している。
【０００５】
このため、ユーザは、表示された図形が何のデータを表しているのかを、感覚的に認識しづらいことがある。特に、多くのイベント情報を表示している場合、一見して認識することは困難である。
【０００６】
また、特許文献１に記載の航跡記録装置等の従来の航海機器は、イベント情報等の特定位置、特定軌跡に対する認識は可能であるが、自船の航行する領域での漁労情報を認識することはできない。
【０００７】
そこで、本発明の目的は、周囲の漁労情報を感覚的に認識できるデータを表示する表示装置及び表示方法を提供することにある。
【課題を解決するための手段】
【０００８】
この発明の表示装置は、データベース、漁労データ取得部、表示マーク取得部、および、画像データ生成部を備える。データベースは、位置データと漁労データと漁労データの種類と表示用のマークとを紐付けして記憶している。漁労データ取得部は、選択された漁労データの内容をデータベースから取得する。表示マーク取得部は、選択された漁労データに対応したマークを、データベースから取得する。画像データ生成部は、漁労データの内容に応じて表示態様が調整されたマークを地図データに重ねることで、画像データを生成して、表示させる。
【０００９】
この構成では、漁労データをマークとして表示し、かつ、そのマークの表示形態を、漁労データの内容に応じて変更する。これにより、例えば、ユーザは、漁労データが文字で表示された場合と比べて、漁労データの内容を感覚的に把握できる。
【発明の効果】
【００１０】
本発明によれば、ユーザは、周囲の漁労データおよびその内容を感覚的に容易に把握できる。
【図面の簡単な説明】
【００１１】
【図１】実施形態に係る表示装置の構成を示すブロック図
【図２】漁労データと位置データとを紐付けたデータベースを示す図
【図３】漁労データと表示マークとを紐付けたデータベースを説明するための図
【図４】表示装置で実行される処理を示すフローチャート
【図５】「水温」データのみを表示する場合の画面の一例を示す図
【図６】「水深」データのみを表示する場合の画面の一例を示す図
【図７】「潮流」データのみを表示する場合の画面の一例を示す図
【図８】「釣果」データのみを表示する場合の画面の一例を示す図
【図９】「水温」データと「潮流」データとを表示する場合の画面の一例を示す図
【図１０】（Ａ）は、漁労データの補完を行わない場合の表示例を示す図、（Ｂ）は、漁労データの補完を行った場合の表示例を示す図
【発明を実施するための形態】
【００１２】
図１は、本実施形態に係る表示装置の構成を示すブロック図である。図２は、漁労データと位置データとを紐付けたデータベースの概要を示す図である。図３は、漁労データと表示マークとを紐付けたデータベースを説明するための図である。
【００１３】
本実施形態に係る表示装置１は、例えば釣り船等の船舶に搭載される。表示装置１は、表示部１０、選択部１１、自船位置取得部１２、表示制御部１３、時刻取得部１４、および、記憶部１５を備えている。表示制御部１３は、漁労データ取得部１３１、表示マーク取得部１３２、および、画像データ生成部１３３を備えている。
【００１４】
表示部１０は、漁労データを含む画面データを表示する。詳細は後述するが、画面データは、海図データと、ユーザが選択した漁労データとを含む。海図データは、例えば、船舶が備える測位システムによって特定された自船の位置を中心としたものである。
【００１５】
漁労データとしては、例えば、水温、水深、釣果（漁獲量、魚種等）、底質、潮流等に関するデータ等がある。漁労データの各種データは、予め決められたマーク図形で、表示される。例えば、図３に示す例であれば、「水温」データは、ひし形で表示される。「水深」データは、円形で表示される。「釣果」データは、プラス形で表示される。「潮流」データは、三角形で表示される。
【００１６】
漁労データの表示マーク（漁労データを表すマーク図形）は、その内容に応じて、表示形態が変更される。本実施形態に係る「表示形態」とは、例えば、表示マークの色調である。例えば「水深」データを示す円形マークは、水深が深くなるほど濃い青色に表示され、水深が浅くなるほど薄い青色に表示される（図６参照）。
【００１７】
選択部１１は、どの種類の漁労データを表示させたいかを、ユーザが入力するための操作手段である。選択部１１は、タッチパネル、操作ダイヤル又はキーボード等であってもよいし、音声入力のためのマイクであってもよい。選択部１１は、選択した漁労データの種類を、表示制御部１３の漁労データ取得部１３１および表示マーク取得部１３２へ出力する。
【００１８】
自船位置取得部１２は、例えば、測位システムによって特定された自船の位置データを取得する。自船位置取得部１２は、取得した位置データを、表示制御部１３の漁労データ取得部１３１および画像データ生成部１３３へ出力する。
【００１９】
漁労データ取得部１３１は、漁労データの種類を選択部１１から受け付けると、その種類の漁労データを記憶部１５から取得する。
【００２０】
具体的には、記憶部１５には、データベース（ＤＢ）１５１が記憶されている。データベース１５１は、本発明に係る「第１データベース」に相当する。図２に示すように、データベース１５１は、漁労データと位置データとを紐付けして記憶している。図２に示すように、位置データとは、緯度データ及び経度データである。そして、漁労データとは、水温、水深、潮流、釣果、および、底質等である。なお、漁労データの種類はこれに限るものではない。
【００２１】
漁労データ取得部１３１は、自船位置を示す位置データに基づく所定領域の漁労データを取得する。より具体的には、漁労データ取得部１３１は、当該自船位置を含み、画像データとして利用する領域の各位置データに紐付けられた漁労データを取得する。なお、より好ましくは、自船の移動を加味して、その時点で画像データとして利用する領域よりも所定分で広範囲の領域の漁労データを取得しておくとよい。
【００２２】
また、データベース１５１に記憶された各漁労データに時刻、季節等の概念がある場合には、漁労データ取得部１３１は、時刻取得部１４で取得された時刻に基づいて、時刻または季節に応じたデータベース１５１から漁労データを取得する。
【００２３】
漁労データ取得部１３１は、互いに紐付けされた位置データと漁労データとを、画像データ生成部１３３に出力する。
【００２４】
表示マーク取得部１３２は、漁労データの種類を選択部１１から受け付けると、その漁労データ種類に応じたマーク図形を記憶部１５から取得する。
【００２５】
具体的には、記憶部１５には、データベース（ＤＢ）１５２が記憶されている。データベース１５２は、本発明に係る「第２データベース」に相当する。図３に示すように、データベース１５２は、漁労データの種類とマーク図形とを紐付けして記憶している。図３の場合、漁労データ「水温」にはひし形が紐付けされ、漁労データ「水深」には円形が紐付けされ、漁労データ「釣果」には、プラス形が紐付けされ、漁労データ「潮流」には、三角形が紐付けされている。漁労データ「底質」には、クロスマークが紐付けされている。
【００２６】
例えば、漁労データとして水温が選択されていれば、表示マーク取得部１３２は、データベース１５２から、ひし形を取得する。
【００２７】
表示マーク取得部１３２は、取得したマーク図形を、画像データ生成部１３３に出力する。
【００２８】
画像データ生成部１３３は、自船位置取得部１２が取得した自船の位置を含む領域に相当する海図データを、海図データが予め記憶された記憶部（不図示）から取得する。
【００２９】
画像データ生成部１３３は、表示マーク取得部１３２から入力されたマーク図形を、海図データに重ね合わせる。この際、画像データ生成部１３３は、漁労データ取得部１３１からの漁労データに紐付けされた位置データが表す位置に、マーク図形を配置する。
【００３０】
画像データ生成部１３３は、漁労データの内容に応じて、マーク図形の表示態様を調整する。例えば、漁労データが「水温」の場合、画像データ生成部１３３は、水温が高い位置ほど濃い色とし、水温が低い位置ほど薄い色とする（図５参照）。
【００３１】
画像データ生成部１３３は、マークが重ねられた海図データを表示部１０へ表示する。
【００３２】
図４は、表示装置１で実行される処理を示すフローチャートである。
【００３３】
表示装置１は、自船位置に基づく海図データを取得する（Ｓ１）。表示装置１は、選択された漁労データの種類に基づいて、漁労データと、漁労データに紐付けられた位置データとを記憶部１５のデータベース１５１から取得する（Ｓ２）。
【００３４】
表示装置１は、選択された漁労データに紐付けられたマーク図形を、記憶部１５のデータベース１５２から取得する（Ｓ３）。表示装置１は、Ｓ２で取得した漁労データに基づいて、Ｓ３で取得したマーク図形の表示形態を調整する（Ｓ４）。そして、表示装置１は、Ｓ２で取得した位置データに応じて、Ｓ１で取得した海図データ上の位置に、調整した表示形態のマーク図形を重ね合わせることで、画像データを生成する（Ｓ５）。
【００３５】
このように、漁労データをマークで表示することで、漁労データを文字のみで表示する場合と比べて、ユーザは、漁労データを感覚的に認識し易くなる。特に、船上では揺れがあるため、文字で表示した場合、その文字を読みづらいことがあるが、マークで表示することで、一見してデータ内容を認識できる。
【００３６】
また、マークを海図上に表示することで、例えば、ユーザは、海図上の各位置での漁労データの内容を把握し易くなり、漁労作業を効率よく行える。また、データ内容によってマークの表示形態を変えることによって、ユーザは、漁労データの内容を、より感覚的に把握しやすくなる。
【００３７】
なお、上述の各マークを選択することによって、そのマークに対応する漁労データの内容をテキストデータとして表示してもよい。例えば、テキストデータをポップアップ表示してもよい。
【００３８】
また、上述の説明では、表示態様として色調を示したが、表示態様としては、マークの大きさを用いてもよい。
【００３９】
また、本実施形態では、表示部１０に表示する海域は、ユーザが指定した海域としてもよい。さらに、本実施形態では、表示マークは単純な図形を用いているが、漁労データの内容をユーザに容易に想起させる図形としてもよい。例えば、漁労データ「釣果」の表示マークは、魚の画像としてもよいし、漁労データ「水温」の表示マークは、温度計の画像としてもよい。
【００４０】
次に、各種の漁労データの表示態様について、図を参照して説明する。
【００４１】
図５は、漁労データとして「水温」を表示する場合の画面の一例を示す図である。
【００４２】
この例では、海図の海１０２の部分に、漁労データ「水温」を円形マークで表示している。このとき、円形マークは、図５に示すように、水温に対応した色に変更されて表示される。すなわち、この例では、表示マークの色が、本発明に係る「表示形態」に相当する。例えば、水温が高い位置に表示する円形マークの色は赤っぽくし、水温が低い位置に表示する円形マークの色は青っぽくする。これにより、ユーザは、水温分布を容易に確認でき、良漁場を予測しやすくなる。
【００４３】
図６は、漁労データとして「水深」を表示する場合の画面の一例を示す図である。
【００４４】
この例では、海図の海１０２の部分に、漁労データ「水深」を円形マークで表示している。このとき、円形マークは、図６に示すように、水深に対応した色に変更されて表示される。すなわち、この例では、図５と同様、示マークの色が、本発明に係る「表示形態」に相当する。例えば、水深が深い位置に表示する円形マークの濃度を濃くし、水深が浅い位置に表示する円形マークの濃度を薄くする。これにより、ユーザは、水深分布を容易に確認できる。
【００４５】
図７は、漁労データとして「潮流」を表示する場合の画面の一例を示す図である。
【００４６】
この例では、海図の海１０２の部分に、漁労データ「潮流」を矢印マークで表示している。このとき、矢印マークは、潮流の速度に応じて線幅を変更し、また、矢印の方向と潮流の方向とが一致するように表示される。すなわち、この例では、表示マークの線種及び方向が、本発明に係る「表示形態」に相当する。これにより、ユーザは、潮目を発見しやすく、漁労作業を効率よく行える。なお、潮流の速度に応じて線の濃度又は色等を変更してもよい。
【００４７】
図８は、漁労データ「釣果」を表示する場合の画面の一例を示す図である。
【００４８】
この例では、海図の海１０２の部分に、漁労データ「釣果」を棒状のマークで表示している。このとき、棒状のマークは、釣果に応じて長さが変更されて表示される。すなわち、この例では、棒状のマークの長さが、本発明に係る「表示形態」に相当する。例えば、釣果が多い位置に表示する棒状のマークを長くし、釣果が少ない位置に表示する棒状のマークを短くする。これにより、釣果データを棒グラフで表すことができるため、ユーザは、釣果分布を容易に確認でき、良漁場を発見する手助けとなる。
【００４９】
図５〜図８は、一種類の漁労データを表示する場合について説明したが、複数種類の漁労データを同時に表示してもよい。
【００５０】
図９は、漁労データとして「水温」と「潮流」とを表示する場合の画面の一例を示す図である。この例では、図５で説明した漁労データ「水温」と、図７で説明した漁労データ「潮流」とを重ねて表示している。これにより、ユーザは、水温と潮流（潮目）との関係を把握しやすくなり、良漁場を発見する手助けとなる。
【００５１】
なお、図９では、二種類の漁労データを同時に重ねて表示しているが、それぞれの漁労データを交互に表示するようにしてもよい。
【００５２】
なお、上述の説明では、マークの表示対象の全ての位置に対応する漁労データが記憶されている場合を示した。しかしながら、位置によっては漁労データが記憶されていない場合もある。この場合、次に示すように、漁労データが予め記憶されていない位置に対しては、漁労データを補完して、表示すればよい。図１０（Ａ）は、漁労データの補完を行わない場合の表示例を示す図であり、図１０（Ｂ）は、漁労データの補完を行った場合の表示例を示す図である。
【００５３】
図１０（Ａ）の場合、位置ＰＡの漁労データが無い。このため、図１０（Ａ）に示すように、位置ＰＡのマークは表示されない。画像データ生成部１３３は、マークを表示すべき位置ＰＡに漁労データがないことを検出すると、位置ＰＡに隣接する位置ＰＢ１の漁労データ、および、位置ＰＢ２の漁労データを取得する。
【００５４】
画像データ生成部１３３は、位置ＰＢ１の漁労データ、および、位置ＰＢ２の漁労データを用いて、位置ＰＡの漁労データを補完する。例えば、画像データ生成部１３３は、位置ＰＢ１の漁労データの値と位置ＰＢ２の漁労データの値との算術平均値を算出し、位置ＰＡの漁労データの値とする。
【００５５】
画像データ生成部１３３は、この位置ＰＡの漁労データを用いて、マーク１１２Ａの表示態様を設定する。
【００５６】
このような構成および処理を用いることによって、漁労データが予め記憶された位置に対しても、その位置に適すると考えられる表示態様のマークを表示できる。
【００５７】
なお、補完処理は、上述の説明では、経度方向に並ぶ漁労データを用いて行ったが、緯度方向に並ぶ漁労データを用いてもよい。また、補完処理は、経度および緯度によって設定される二次元において、漁労データが記憶されていない位置を囲む複数の位置の漁労データを用いてもよい。この場合、例えば、漁労データが記憶されていない位置と、周囲の各位置との距離に応じた平均処理を用いることができる。
【００５８】
なお、データベース１５１は記憶部１５に記憶されているが、随時更新される。更新は、ユーザによる手動で行われてもよいし、定期的に自動で行われてもよい。例えば、ユーザが、不図示の入力部から入力して「釣果」の漁労データを更新してもよい。また、表示装置１は通信手段を備えていて、外部から「水温」の漁労データ又は「潮流」の漁労データを受信し、受信したデータに基づいて、データベース１５１を更新してもよい。あるいは、表示装置１を搭載した船舶が備える潮流計からデータを取得して、データベース１５１を更新してもよい。
【００５９】
また、上述の説明では、漁労データだけを表示する態様を示したが、目的位置、予測航跡、または、ユーザが設定したデータ等の航行イベントデータを、漁労データとともに表示することもできる。
【００６０】
また、上述の説明では、データベース１５１とデータベース１５２とを分ける態様を示したが、これらは１つデータベースに統一されていてもよい。この場合、データベースは、漁労データの種類、内容、および、漁労データに応じたマークを、紐付けして記憶している。また、この場合、漁労データの内容に対応して、表示態様も紐付けして記憶してもよい。
【００６１】
以上説明した実施形態では、表示装置１を船舶に搭載した場合について説明したが、漁労データを必要する移動体であれば、上述の構成および処理を適用できる。
【符号の説明】
【００６２】
１…表示装置
１０…表示部
１１…選択部
１２…自船位置取得部
１３…表示制御部
１４…時刻取得部
１５…記憶部
１０１…陸
１０２…海
１１１…ひし形マーク
１１２…円形マーク
１１３…プラス形マーク
１１４…三角マーク
１３１…漁労データ取得部
１３２…表示マーク取得部
１３３…画像データ生成部
１５１，１５２…データベース
【図１】
2019086533.tif 000003
【図２】
2019086533.tif 000004
【図３】
2019086533.tif 000005
【図４】
2019086533.tif 000006
【図５】
2019086533.tif 000007
【図６】
2019086533.tif 000008
【図７】
2019086533.tif 000009
【図８】
2019086533.tif 000010
【図９】
2019086533.tif 000011
【図１０】
2019086533.tif 000012